(57)【要約】【課題】  周囲を透明壁にて囲繞された陳列室を有するショーケースにおいて、当該陳列室内に棚を架設するための構造を低コストで提供する。【解決手段】  ショーケース１は、本体の四隅に位置する支柱８に支持された透明壁９により、周囲が囲繞された陳列室１４を備えて成る。支柱８に設けられ、複数の係合孔３３を有する棚支持部８Ａと、この棚支持部８Ａに支持されて陳列室１４内に架設された商品陳列用の棚２と、棚支持部８Ａの係合孔３３に係合して棚２を支持する棚受け３１とを備え、この棚受け３１は、板金材を折り曲げて構成されており、板金材の密着曲げにて構成され、係合孔３３に挿入係合される係合部３１Ｃを有する。【選択図】図７
2006075229.tif 000002
【特許請求の範囲】
【請求項１】
本体の四隅に位置する支柱に支持された透明壁により、周囲が囲繞された陳列室を備えて成るショーケースにおいて、
前記支柱に設けられ、複数の係合孔を有する棚支持部と、
該棚支持部に支持されて前記陳列室内に架設された商品陳列用の棚と、
前記棚支持部の係合孔に係合して前記棚を支持する棚受けとを備え、
該棚受けは、板金材を折り曲げて構成されており、前記板金材の密着曲げにて構成され、前記係合孔に挿入係合される係合部を有することを特徴とするショーケース。
【請求項２】
前記本体の一側に形成された冷気吐出口、及び、他側に形成された冷気吸込口と、
前記棚に設けられたヒータと、
前記棚の両側に回動自在に設けられ、当該棚とその両側の前記透明壁との間の冷気通路をそれぞれ開閉するダンパーとを備え、
該ダンパーは、起立状態で前記冷気通路を開放し、回動された水平状態にて前記冷気通路を塞ぐと共に、当該水平状態において、前記ダンパーは前記棚受けに保持されることを特徴とする請求項１のショーケース。
【請求項３】
前記棚は前記陳列室内に複数段架設されると共に、
前記本体の下側に構成された機械室に配設された電装箱と、
該電装箱と前記各棚のヒータとをそれぞれ結ぶ複数のリード線と、
前記本体に構成され、前記各リード線の残余部分をそれぞれ収容する複数の収容部とを備え、
前記陳列室内において上方に架設された前記棚からのリード線の残余部分を、前記電装箱に近い前記収容部に収容したことを特徴とする請求項２のショーケース。
【請求項４】
前記透明壁の少なくとも一つを構成する開閉自在の扉と、
該扉の内面周囲に設けられた磁石内蔵のガスケットと、
前記支柱に設けられた金属製の補強材とを備え、
該補強材を前記支柱の外面に配置し、前記扉を閉じた状態で、前記ガスケットは前記補強材に吸着することを特徴とする請求項１、請求項２又は請求項３のショーケース。
【発明の詳細な説明】
【技術分野】
【０００１】
本発明は、透明壁にて周囲が囲繞された陳列室を備えたショーケースに関するものである。
【背景技術】
【０００２】
従来より此の種ショーケースでは、本体の四隅に立設した支柱に左右及び後面の透明壁と前面の透明扉（透明壁）を取り付けることにより、これら透明壁で囲繞された陳列室を本体上に構成している。そして、この陳列室には商品陳列用の棚を架設すると共に、本体の一側から冷気を吐出し、他側から吸い込んで陳列室内に冷気を循環させ、所定の温度に冷却する構造が採られていた（例えば、特許文献１参照）。
【０００３】
また、棚にはヒータを取り付けると共に、棚の両側にダンパーを配置し、このダンパーで棚上方への冷気の循環を遮断した状態でヒータを発熱させることにより、棚上方の陳列室内のみを加温できる所謂ホット＆コールドタイプのショーケースもある。
【特許文献１】特開平５−２０３３３２号公報
【発明の開示】
【発明が解決しようとする課題】
【０００４】
このように周囲が透明壁にて囲繞された陳列室を有するショーケースでは、棚を陳列室内に架設するに際して、通常は棚を構成するワイヤーを後方に突出させ、このワイヤーの先端を支柱に取り付けた棚支持部の係合孔に挿入して係合させていた。また、棚受けを樹脂にて成形し、この棚受けを係合孔に係合させて棚を受ける構造であったが、何れにしても棚受け構造のコストが高騰する問題があった。
【０００５】
本発明は、係る従来の技術的課題を解決するために成されたものであり、周囲を透明壁にて囲繞された陳列室を有するショーケースにおいて、当該陳列室内に棚を架設するための構造を低コストで提供することを目的とする。
【課題を解決するための手段】
【０００６】
本発明のショーケースは、本体の四隅に位置する支柱に支持された透明壁により、周囲が囲繞された陳列室を備えて成るものであって、支柱に設けられ、複数の係合孔を有する棚支持部と、この棚支持部に支持されて陳列室内に架設された商品陳列用の棚と、棚支持部の係合孔に係合して棚を支持する棚受けとを備え、この棚受けは、板金材を折り曲げて構成されており、板金材の密着曲げにて構成され、係合孔に挿入係合される係合部を有することを特徴とする。
【０００７】
請求項２の発明のショーケースは、上記において本体の一側に形成された冷気吐出口、及び、他側に形成された冷気吸込口と、棚に設けられたヒータと、棚の両側に回動自在に設けられ、当該棚とその両側の透明壁との間の冷気通路をそれぞれ開閉するダンパーとを備え、このダンパーは、起立状態で冷気通路を開放し、回動された水平状態にて冷気通路を塞ぐと共に、当該水平状態において、ダンパーは棚受けに保持されることを特徴とする。
【０００８】
請求項３の発明のショーケースは、上記において棚は陳列室内に複数段架設されると共に、本体の下側に構成された機械室に配設された電装箱と、この電装箱と各棚のヒータとをそれぞれ結ぶ複数のリード線と、本体に構成され、各リード線の残余部分をそれぞれ収容する複数の収容部とを備え、陳列室内において上方に架設された棚からのリード線の残余部分を、電装箱に近い収容部に収容したことを特徴とする。
【０００９】
請求項４の発明のショーケースは、上記各発明において透明壁の少なくとも一つを構成する開閉自在の扉と、この扉の内面周囲に設けられた磁石内蔵のガスケットと、支柱に設けられた金属製の補強材とを備え、この補強材を支柱の外面に配置し、扉を閉じた状態で、ガスケットは補強材に吸着することを特徴とする。
【発明の効果】
【００１０】
本発明によれば、本体の四隅に位置する支柱に支持された透明壁により、周囲が囲繞された陳列室を備えて成るショーケースにおいて、支柱に設けられ、複数の係合孔を有する棚支持部と、この棚支持部に支持されて陳列室内に架設された商品陳列用の棚と、棚支持部の係合孔に係合して棚を支持する棚受けとを備え、この棚受けを、板金材を折り曲げて構成すると共に、板金材の密着曲げにて係合部を構成し、この係合部を係合孔に挿入係合するようにしたので、棚受け単品の製造コストを著しく削減することができる。これにより、棚を架設するためのコストの低減を図ることができる。また、棚受けの係合部は板金材の密着曲げにて構成されているので、強度も支障なく保持され、棚を安定的に架設することが可能となるものである。
【００１１】
また、請求項２の発明によれば、上記に加えて本体の一側に形成された冷気吐出口、及び、他側に形成された冷気吸込口と、棚に設けられたヒータと、棚の両側に回動自在に設けられ、当該棚とその両側の透明壁との間の冷気通路をそれぞれ開閉するダンパーとを備え、このダンパーは、起立状態で冷気通路を開放し、回動された水平状態にて冷気通路を塞ぐようにしたので、ダンパーを水平状態としてヒータを発熱させることにより、棚下方の陳列室内を冷却しながら棚上方の陳列室内は加温することができるようになる。この場合、ダンパーは、水平状態において棚受けに保持されるので、ダンパーの水平状態は安定的に保持されると共に、格別な保持構造が不要となるので、構造の簡素化が図れるものである。
【００１２】
また、請求項３の発明によれば、上記に加えて棚は陳列室内に複数段架設されると共に、本体の下側に構成された機械室に配設された電装箱と、この電装箱と各棚のヒータとをそれぞれ結ぶ複数のリード線と、本体に構成され、各リード線の残余部分をそれぞれ収容する複数の収容部とを備えているので、ヒータのリード線長に余裕を持たせて棚の移動を担保しながら、リード線の残余部分は収容部に収容して外観の向上を図ることができるようになる。特に、陳列室内において上方に架設された棚からのリード線の残余部分を、電装箱に近い収容部に収容したので、電装箱から遠くなる棚のリード線を電装箱に近い収容部に収容して、収容部内に収容されるリード線の残余部分を各棚において均等化することが可能となる。
【００１３】
また、請求項４の発明によれば、上記各発明に加えて透明壁の少なくとも一つを構成する開閉自在の扉と、この扉の内面周囲に設けられた磁石内蔵のガスケットと、支柱に設けられた金属製の補強材とを備え、この補強材を支柱の外面に配置し、扉を閉じた状態で、ガスケットが補強材に吸着するようにしたので、ガスケットの吸着面が支柱の補強材で構成されることになる。これにより、ガスケットを吸着させるための格別な板金材を取り付ける必要が無くなり、構造の簡素化とコストの削減を図ることが可能となる。
【発明を実施するための最良の形態】
【００１４】
以下、図面に基づき本発明の実施形態を詳述する。尚、以下の実施例で説明するショーケース１は、例えばコンビニエンスストア等の店舗に設置されてコーヒーやお茶などのペットボトル入り飲料若しくは缶飲料を冷却若しくは加温しながら販売する所謂卓上型のホット＆コールドショーケース（冷却／加温切換使用可能なショーケース）である。
【００１５】
即ち、図１は本発明を適用した実施例のショーケース１の斜視図、図２はショーケース１の前隅部の拡大平断面図、図３はショーケース１の内部構造を示す斜視図、図４はショーケース１の棚２の上面図、図５は棚２の側面図、図６は棚２の下面図、図７、図８は棚２の側部の縦断正面図をそれぞれ示している。実施例のショーケース１の本体３は、発泡ポリウレタンなどから成る図示しない断熱壁とこの断熱壁の周囲を囲繞する硬質合成樹脂製のケース６から構成されている。そして、この本体３の四隅に位置して前支柱７、７及び後支柱８、８が立設されており、これら支柱７、７、８、８には透明ペアガラス製の左右の縦長の透明壁９、９が支持され、上部には天壁１１が取り付けられている。
【００１６】
また、前から向かって右側の前支柱７及び後から向かって左側の後支柱８には周囲のサッシュ１２Ａにこれも透明ペアガラス１２Ｂを填め込んだ透明壁としての縦長の扉１２（後の扉は図示せず）が回動自在に枢支されており、本体３上にこれら透明壁９、９、扉１２、１２及び天壁１１により囲繞された陳列室１４が構成されている。そして、扉１２、１２はこの陳列室１４の前後面の開口を開閉自在に閉塞することになる。
【００１７】
尚、１５はこの扉１２のサッシュ１２Ａの非枢支側（向かって左側）の上下方向（長手方向）の中央前面に取り付けられた把手である。１６は扉１２の内面（支柱７、８側の面）周囲に取り付けられた磁石内蔵型ガスケットであり、扉１２を閉じたときに支柱７、８及び天壁１１に密着してシールすることになる。
【００１８】
前記本体３の下方には周囲にグリル１７・・・（本体３もパネル１３で周囲が覆われる）が取り付けられた機械室１８が構成されており、この機械室１８内には冷却装置の冷媒回路を構成する図示しない圧縮機や凝縮器が設置される。本体３の前記断熱壁内には上面が開口した図示しない冷却室が構成され、この冷却室内には前記冷媒回路を構成するこれも図示しない冷却器と送風機が設置されている。そして、本体３の前から向かって右側には手前から奥に渡って冷気吐出口２１が構成されており、向かって左側には手前から奥に渡って冷気吸込口２２が構成されている。この冷気吸込口２２は冷却室内の前記冷却器の冷気吸込側に連通し、冷気吐出口２１は冷気吐出側に連通している。
【００１９】
また、機械室１８の底面を構成するベース１９の四隅には図示しないアングルが立設されている。一方、前支柱７、７及び後支柱８、８にはそれぞれ金属製（鋼板）の補強材２３（支柱７、８をそれぞれ補強する）が取り付けられている。各補強材２３は、前支柱７、７の前面（外面）及び天壁１１の前面（外面）、後支柱８、８の後面（外面）及び天壁１１の後面（外面）にそれぞれ渡るように配置されて全体としては略門型を呈しており、その下端は前記アングルに固定されている（後側の補強材は図示せず）。そして、扉１２を閉じると、ガスケット１６はこの補強材２３に吸着する。即ち、ガスケット１６の吸着面を補強材２３で兼用しているので、格別な板金材を支柱７、８の外面に取り付ける必要が無くなる。
【００２０】
一方、棚２は金属製の上板２４と、この上板２４内に設けられた図示しない断熱材と、これらの周囲を囲繞する合成樹脂製の枠材２６にて構成されている。そして、上板２４の内面に電気ヒータＨが取り付けられている。また、枠材２６の両側は凹陥しており、棚２とその外側の透明壁９との間に冷気通路を構成し、更に最上段の棚２とその下側の棚２の当該凹陥部内にはダンパー２７が取り付けられている（図２では示していない）。このダンパー２７は枠材２６の前後の軸２６Ａ、２６Ａに回動且つ上下（所定範囲で）移動自在に取り付けられている。尚、前記冷気通路は冷気吐出口２１及び冷気吸込口２２の上方に位置し、ダンパー２７は回動して後述する如く当該冷気通路を開閉する。
【００２１】
また、３１、３１は当該棚２を架設するための本発明の棚受けである。この棚受け３１は板金材（鋼板）を折曲して構成されており、棚２の下面に取り付けられる水平な受け部３１Ａと、この受け部３１Ａの外側において階段状に隆起した隆起部３１Ｂと、この隆起部３１Ｂの外側において後方に突出する係合部３１Ｃとから成る。この係合部３１Ｃは板金材を密着曲げして構成されており、密着面が縦方向とされている。
【００２２】
そして、受け部３１Ａを棚２の下面の後隅部にネジ止めすることで、棚受け３１、３１を棚２の下面の後部両側に取り付ける（図６参照）。この状態で、隆起部３１Ｂは棚２の前記凹陥部から外側に離間しており、前記ダンパー２７はこの隆起部３１Ｂと棚２の間に位置することになる。
【００２３】
一方、後支柱８、８の前面（陳列室１４側の面）には棚支持部８Ａが形成されており、この棚支持部８Ａには複数の係合孔３３・・が上下に渡って所定間隔で形成されている。また、前支柱７、７には相互に対向する面にも棚支持部７Ａが形成され、この棚支持部７Ａにも複数の係合孔３４・・が上下に渡って所定間隔で形成されている。そして、何れかの係合孔３３に後部両側の棚受け３１の係合部３１Ｃを挿入して係合し、棚２の前端両側に突出する前側の係合突起３２を係合孔３４に挿入係合することで、棚２は前部を低くした傾斜状態で架設される。
【００２４】
このように棚受け３１を板金材を折り曲げて構成しているので、棚受け３１単品の製造コストを著しく削減することができる。これにより、棚２を架設するためのコストの低減を図ることができる。また、棚受け３１の係合部３１Ｃは板金材の密着曲げにて構成されており、しかも密着面を縦方向として係合孔３３に挿入されるので、棚２に加わる荷重に対する強度も支障なく保持され、棚２を安定的に架設することが可能となる。
【００２５】
尚、実施例では陳列室１４内に上下３段架設されるが、最下段の棚２はデッキパンとされ、上述したような架設構造では無く前支柱７、７、後支柱８、８に傾斜状態で固定されている。
【００２６】
他方、前支柱７、７内には係合孔３４の前側にて開口する収納溝３６が形成されており、前記各棚２の電気ヒータＨのリード線３７はこの収納溝３６内に収納されて降下する。そして、機械室１８の前から向かって右後隅部に設けられた電装箱３８に接続されて当該電装箱３８と各電気ヒータＨとを結ぶことになるが、最上段の棚２からのリード線３７は前から向かって右側の前支柱７の収納溝３６内に配置され、その下段の棚２からのリード線３７は左側の前支柱７の収納溝３６内に配置される。更に、本体３のケース６前部には上方に開口した収容部４１、４１が上方に開口して一体に形成されており、最上段の棚２のリード線３７の残余部分は前から向かって右側の収容部４１に、その下段の棚２からのリード線３７は左側の収容部４１内に収容される（図３参照）。従来はこの残余部分を棚自体に格納していたため、棚２の有効面積が縮小されていたが、本体３に収容部４１を形成して収容することにより、係る不都合が無くなる。
【００２７】
ここで、最上段の棚２とその下側の棚２の架設位置は、係合部３１Ｃ及び係合突起３２を係合させる係合孔３３、３４の位置を変更することで、上下に移動可能とされている。そのため、最上段の棚２とその下側の棚２のリード線３７、３７の長さもこの移動距離を吸収できるように十分な余裕を持って設定されているが、上述の如く残余部分を収容部４１に収容することで、陳列室１４内などに露出しなくなり、外観が向上する。また、陳列室１４内において上方に架設された棚２（最上段の棚２）からのリード線３７の残余部分を、電装箱３８に近い、向かって右側の収容部４１内に収容している。即ち、電装箱３８から遠くなる棚２（最上段の棚２）のリード線３７を電装箱３８に近い収容部４１に収容しているので、収容部４１内に収容されるリード線３７の残余部分を上下の各棚２において均等化できる（最上段の棚２のリード線３７は棚２と収容部４１間の距離が長くなり、その下側の棚２のリード線３７は収容部４１と電装箱３８間の距離が長くなる）。
【００２８】
以上の構成で、陳列室１４内の全域を冷蔵状態で使用する場合には、最上段とその下の棚２、２の両側のダンパー２７、２７を図５、図６、７の如く回動して起立状態とする。この状態でダンパー２７は棚受け３１の隆起部３１Ｂと棚２の間に位置し、棚２とその外側の透明壁９、９との間の冷気通路を開放する。これにより、冷気吐出口２１から上方に向けて吐出された冷気は各棚２の前から向かって右側の冷気通路を上昇し、左側の冷気通路を降下して冷気吸込口２２に吸い込まれるようになるので、陳列室１４内の全域が冷蔵温度に冷却される。
【００２９】
次に、例えば最上段の棚２上方の陳列室１４を加温状態で使用し、その下方の陳列室１４内は冷蔵状態で使用する場合、最上段の棚２の両側のダンパー２７、２７のみを図４、図８の如く回動して水平状態とし、当該最上段の棚２とその外側の透明壁９、９との間の冷気通路を閉じる。これにより、最上段の棚２より上方には冷気は供給されなくなる。この状態で、当該最上段の棚２の電気ヒータＨに通電すれば、棚２上方の陳列室１４内は所定温度に加温されることになる。
【００３０】
ここで、図８の如くダンパー２７を水平状態としたとき、その後端は棚受け３１の隆起部３１Ｂ上に載置されて保持される。これにより、ダンパー２７の水平状態は安定的に保持されるので、格別な保持構造が不要となり、構造の簡素化が図れる。
【図面の簡単な説明】
【００３１】
【図１】本発明を適用した実施例のショーケースの斜視図である。
【図２】図１のショーケースの前隅部の拡大平断面図である。
【図３】図１のショーケースの内部構造を示す斜視図である。
【図４】図１のショーケースの棚の上面図である。
【図５】図４の棚の側面図である。
【図６】図４の棚の下面図である。
【図７】図４の棚の側部の縦断正面図である（ダンパーを起立させた状態）。
【図８】図４の棚の側部の縦断正面図である（ダンパーを水平にした状態）。
【符号の説明】
【００３２】
１  ショーケース
２  棚
３  本体
６  ケース
７  前支柱
７Ａ  棚支持部
８  後支柱
８Ａ  棚支持部
９  透明壁
１２  扉（透明壁））
１４  陳列室
１８  機械室
２１  冷気吐出口
２２  冷気吸込口
２３  補強材
２７  ダンパー
３１  棚受け
３１Ｃ  係合部
３３、３４  係合孔
３７  リード線
３８  電装箱
４１  収容部
Ｈ  電気ヒータ
【図１】
2006075229.tif 000003
【図２】
2006075229.tif 000004
【図３】
2006075229.tif 000005
【図４】
2006075229.tif 000006
【図５】
2006075229.tif 000007
【図６】
2006075229.tif 000008
【図７】
2006075229.tif 000009
【図８】
2006075229.tif 000010